(57)【要約】【課題】漏電検出用零相変流器の端子と漏電検出ユニットの接続の際に、零相変流器の端子の変形を許容でき、かつ、遮断時のススの付着による零相変流器の端子間のショートを抑制できる漏電遮断器を得る。【解決手段】漏電遮断器１０１の漏電検出ユニット３のケース４に零相変流器１の端子２ａを誘導する誘い込み形状に形成された受け部４ｂを設け、零相変流器１の端子部２には、ケース４の受け部４ｂに形成された誘い込み形状に合致するように形成された保持部２ｂを設けたものである。【選択図】  図４
2015053197.tif 000002
【特許請求の範囲】
【請求項１】
交流電路の漏電電流を検出する零相変流器と、
前記零相変流器に接続され、前記交流電路の漏電電流があらかじめ決められたレベルを越えたとき出力を発生する電子回路基板をケースに収納した漏電検出ユニットと、を備えた漏電遮断器において、
前記ケースには、前記零相変流器の端子を前記電子回路基板の接続部へ接続されるよう誘導することができる誘い込み形状に形成された受け部を設け、前記零相変流器の端子部には、前記ケースの受け部に嵌合する形状に形成され、前記零相変流器の端子を保持する保持部を設けたことを特徴とする漏電遮断器。
【請求項２】
ケースの受け部の誘い込み形状は円錐状の凹形状であり、零相変流器の端子の保持部の形状は前記円錐状の凹形状に対応した円錐状の凸形状であって、前記ケースの受け部と前記零相変流器の端子を保持する保持部が円錐形状で組み合わさることを特徴とする請求項１に記載の漏電遮断器。
【請求項３】
零相変流器の端子部の端子部ケースと前記零相変流器の巻線部を収納する外郭ケースとは、スナップフィット構造で組み合わさること特徴とする請求項１または請求項２に記載の漏電遮断器。
【請求項４】
零相変流器の端子部の端子部ケースと前記零相変流器の巻線部を収納する外郭ケースとは、可撓性を有する連結部を介して一体に形成され、前記端子部の端子部ケースと前記外郭ケースとは、スナップフィット構造で組み合わさること特徴とする請求項１または請求項２に記載の漏電遮断器。
【発明の詳細な説明】
【技術分野】
【０００１】
本発明は、交流電路に漏電や地絡が発生したときに、その電路を遮断する漏電遮断器に係り、特に、漏電検出用の零相変流器の端子と漏電検出ユニットの接続構造に関するものである。
【背景技術】
【０００２】
従来の漏電遮断器は、漏電検出用の零相変流器の端子が零相変流器のケース平面から棒状に突き出された構造で、また、漏電検出用のプリント板が収納されたプリント板ケースに零相変流器の端子をプリント板の接続用の端子穴に直接挿入して接続されている（例えば、特許文献１参照）。
【先行技術文献】
【特許文献】
【０００３】
【特許文献１】特開２０００−１４９７５７号公報（図１）
【発明の概要】
【発明が解決しようとする課題】
【０００４】
従来の漏電遮断器では、零相変流器のケース平面から裸の状態で突き出した棒状の零相変流器の端子が漏電検出ユニットに直接接続されているため、零相変流器の端子が変形していると、零相変流器の端子と漏電検出ユニットの接続用の端子穴がずれて組合せできなくなる問題があった。また、小形化のために零相変流器の端子の間隔を狭くすると、漏電遮断器が遮断した際に発生するススの付着により、零相変流器の端子間がショート状態となり、遮断後の漏電検出が正常にできなくなる問題があった。
【０００５】
本発明は、上述のような課題を解決するためになされたもので、漏電検出用の零相変流器の端子と漏電検出ユニットの接続の際に、零相変流器の端子の変形を許容でき、かつ、電路遮断時のススの付着による零相変流器の端子間のショートを抑制させることができる漏電遮断器を得るものである。
【課題を解決するための手段】
【０００６】
本発明に係る漏電遮断器は、交流電路の漏電電流を検出する零相変流器と、この零相変流器に接続され、交流電路の漏電電流があらかじめ決められたレベルを越えたことを検知する漏電検出ユニットを備えた漏電遮断器において、漏電検出ユニットのケースに零相変流器の端子を誘導する誘い込み形状に形成された受け部を設け、零相変流器の端子部には、ケースの受け部に形成された誘い込み形状に合致するように形成された保持部を設けたものである。
【発明の効果】
【０００７】
本発明は、漏電検出用の零相変流器の端子と漏電検出ユニットの接続構造に誘い込み形状を有するため組立が容易となり、かつ、誘い込み形状に組み合わさる構造により、零相変流器の端子間距離を小さくしても遮断後の漏電遮断器の感度電流の精度を保つことができる。
【図面の簡単な説明】
【０００８】
【図１】本発明の実施の形態１における漏電遮断器の構造を示す分解斜視図である。
【図２】図１に示す漏電遮断器における零相変流器を示す拡大正面図である。
【図３】図１に示す漏電遮断器における漏電検出ユニットを示す拡大断面図である。
【図４】図１に示す漏電遮断器における零相変流器と漏電検出ユニットの組合せ時の構造を示す拡大断面図である。
【図５】本発明の実施の形態２における漏電遮断器の零相変流器と漏電検出ユニットの構造を示す拡大斜視図である。
【図６】本発明の実施の形態３における漏電遮断器の零相変流器の組立途中を示す拡大斜視図である。
【図７】図６に示す零相変流器の要部を示す拡大断面図である。
【図８】本発明の実施の形態３における漏電遮断器の零相変流器の組立完了時を示す拡大斜視図である。
【発明を実施するための形態】
【０００９】
実施の形態１．
図１は本発明を実施するための実施の形態１における漏電遮断器の構造を示す分解斜視図である。図２は図１に示す実施の形態１における零相変流器を示す拡大正面図、図３は図１に示す実施の形態１における漏電検出ユニットを示す拡大断面図、図４は零相変流器と漏電検出ユニットの組合せ時の構造を示す拡大断面図である。
図１において、ハッチング部は、構造をわかりやすく示すための破断面部分である。図２は、零相変流器の端子部の構造を示す図である。図３は、漏電検出ユニットの接続部の構造を示す図である。図４は、図２に示す零相変流器の端子部と図３に示す漏電検出ユニットの接続部とによって本発明の実施の形態１における零相変流器と漏電検出ユニットとを接続した構造を示す図である。
【００１０】
図１に示すように、漏電遮断器１０１は、交流電路を開閉する開閉接点（図示なし）と、交流電路に接続される主回路導体２３ａ、２３ｂ、２３ｃと、主回路導体２３ａ、２３ｂ、２３ｃを貫通させた零相変流器１と、この零相変流器１に接続され、零相変流器１の検出信号に基づき漏電を検出する漏電検出ユニット３と、この漏電検出ユニット３の出力信号によりスイッチング手段を介して付勢される引き外しコイル（図示なし）と、この引き外しコイルの付勢時に開閉接点を開離させる引き外し装置（図示なし）を備えている。また、主回路導体２３ａ、２３ｂ、２３ｃ、零相変流器１、漏電検出ユニット３、引き外しコイルおよび引き外し装置を組み込んだベース２１と、このベース２１を覆い、ベース２１と組み合わさって漏電遮断器の外郭を形成するカバー２２と、を有している。漏電検出ユニット３の内部には漏電検出回路を構成する電子回路基板５が収納されている。この電子回路基板５は、零相変流器１の端子部２と電気的に接続した状態でベース２１に組み込まれている。
【００１１】
図２において、零相変流器１の端子部２は、端子２ａを保持し、外形が円錐状に形成された凸形状の保持部２ｂを有している。
図３において、漏電検出ユニット３は、合成樹脂で成形されたケース４と電子回路基板５とから構成される。ケース４には、零相変流器１との接続部４ａに、零相変流器１の端子２ａを電子回路基板５のはんだ接続部５ａへ接続されるよう誘導することができる誘い込み形状である円錐状に形成された凹形状の受け部４ｂと貫通穴４ｃを有している。また、電子回路基板５には、零相変流器１の端子部２の端子２ａがはんだ付けによって接続されるはんだ接続部５ａが、ケース４の貫通穴４ｃに対向して位置するよう設けられている。
【００１２】
図４において、零相変流器１と漏電検出ユニット３は、ケース４の接続部４ａに端子部２が嵌合配置され、零相変流器１の円錐状に形成された凸形状の保持部２ｂとケース４の円錐状に形成された凹形状の受け部４ｂが嵌合した状態で接続されている。この状態において、零相変流器１の端子２ａは、ケース４の貫通穴４ｃを貫通して電子回路基板５のは
んだ接続部５ａに配置されている。零相変流器１の端子２ａと電子回路基板５は、このはんだ接続部５ａではんだ付けによって接続される。
【００１３】
本実施の形態によれば、零相変流器１の端子２ａが、ケース４の接続部４ａの円錐状に形成された凹形状の受け部４ｂに誘導されながら電子回路基板５のはんだ接続部５ａに接続されるため、端子２ａに変形があった場合でも、零相変流器１と漏電検出ユニット３の接続を容易にできる。
【００１４】
また、零相変流器１の円錐状に形成された凸形状の保持部２ｂとケース４の円錐状に形成された凹形状の受け部４ｂが嵌合した状態であるため、漏電遮断器の短絡遮断などで発生するススが端子２ａとはんだ接続部５ａへ進入することを、円錐状に形成された凸形状の保持部２ｂと円錐状に形成された凹形状の受け部４ｂの嵌合結合で阻止するため、零相変流器の端子間距離を小さくしても遮断後の漏電遮断器の感度電流の精度を保つことができる。
【００１５】
実施の形態２．
図５は本発明の実施の形態２における漏電遮断器における零相変流器と漏電検出ユニットの構造を示す図である。図に示されるように、端子部２の端子部ケース２ｅに設けられた固定用穴２ｃと零相変流器１の巻線部を収納する外郭ケース６に設けられた突起６ａとがスナップフィットによって結合されるように構成されている。端子部ケース２ｅ、外郭ケース６は合成樹脂で成形されている。即ち、端子部ケース２ｅの固定用穴２ｃが形成された部分の弾性を利用して、固定用穴２ｃを突起６ａにはめ込んで引っ掛けることにより、端子部ケース２ｅと外郭ケース６とを固定している。他の構成については、図１〜図４に示した実施の形態と同様であるので説明を省略する。
【００１６】
本実施の形態によれば、零相変流器１の端子２ａが、ケース４の接続部４ａの円錐状に形成された凹形状の受け部４ｂに誘導されながら電子回路基板５のはんだ接続部５ａに接続されるため、端子２ａに変形があった場合でも、零相変流器１と漏電検出ユニット３の接続を容易にできる。
【００１７】
また、零相変流器１は、端子部２と外郭ケース６の組合せにより構成され、零相変流器１と漏電検出ユニット３の接続は、端子部２の端子部ケース２ｅに形成された固定用穴２ｃと外郭ケース６の突起６ａの組合せ構造によって接続されているため、漏電遮断器本体の振動などによる応力が零相変流器の端子２と電子回路基板５とのはんだ接続部に集中しないので、零相変流器１と漏電検出ユニット３の接続の信頼性が向上する。
さらに、零相変流器１と漏電検出ユニット３との接続が、簡略化されるので、組立性が向上する。
【００１８】
実施の形態３．
図６〜図７は、本発明の実施の形態３における漏電遮断器における零相変流器の構造を示す図である。図６は零相変流器の組立途中を示す拡大斜視図、図７は図６に示す零相変流器の拡大断面図、図８は零相変流器の組立完了時を示す拡大斜視図である。
図６に示すように、零相変流器１の端子部２は、零相変流器１の可撓性を有する絶縁被覆された巻線リード線１ａの端子２ａを円錐状に形成された凸形状の保持部２ｂで保持した状態で、端子部２の端子部ケース２ｅに形成された切り欠き状の固定用穴２ｃが外郭ケース６の突起６ａにスナップフィットによって嵌合して結合されるよう構成されている。
端子部２の端子部ケース２ｅは、図７に示されるように外郭ケース６と可撓性を有する連結部２ｄにより接続され、外郭ケース６と一体的に形成されている。
【００１９】
図６、図７により端子部の組立手順について説明する。図６、図７は、端子部２の端子部ケース２ｅが横向きの状態で、零相変流器１からの巻線リード線１ａを端子部ケース２ｅの凸形状の保持部２ｂに設けられた貫通穴２ｆに挿入した状態を示している。巻線リード線１ａの先端１ａ１は、後で、電子回路基板５のはんだ接続部５ａに接続するための端子２ａとなるので、絶縁性の被覆を剥いておく。
【００２０】
次に、巻線リード線１ａを貫通穴２ｆに挿入したまま、連結部２ｄを回転中心として、端子部ケース２ｅを図７に示す矢印Ａ方向に９０度折り曲げ、端子部２の固定用穴２ｃを外郭ケース６の突起６ａにスナップフィットによって嵌合させる。そうすると、図８に示すように、巻線リード線１ａの先端１ａ１が凸形状の保持部２ｂから突出して端子２ａとなり、端子２ａが上向きとなって端子部２の完成状態となる。
その他の構成は、実施の形態1と同様であるので、説明は省略する。
【００２１】
本実施の形態によれば、零相変流器１の端子２ａが、ケース４の接続部４ａの円錐状に形成された凹形状の受け部４ｂに誘導されながら電子回路基板５のはんだ接続部５ａに接続されるため、端子２ａに変形があった場合でも、零相変流器１と漏電検出ユニット３の接続を容易にできる。
【００２２】
また、零相変流器１は、端子部２と外郭ケース６の組合せにより構成され、零相変流器１と漏電検出ユニット３の接続は、端子部２の端子部ケース２ｅに形成された固定用穴２ｃと外郭ケース６の突起６ａの組合せ構造によって接続されているため、漏電遮断器本体の振動などによる応力が零相変流器の端子２と電子回路基板５とのはんだ接続部に集中しないので、零相変流器１と漏電検出ユニット３の接続の信頼性が向上する。
さらに、零相変流器１と漏電検出ユニット３との接続が、簡略化されるので、組立性が向上する。
【００２３】
また、端子部ケース２ｅと零相変流器の外郭ケース６が一体に形成されているため、部品の単価を安くできる。また、端子部ケース２ｅと零相変流器１の外郭ケース６を一体形成することにより、組立時に巻線リード線１ａを貫通穴２ｆに挿入する際に、リード線挿入用の貫通穴２ｆの位置が外郭ケース６に対して固定されているため、特に巻線リード線の２本目以降の挿入時に、冶具などで端子部ケース２ｅを固定しなくても巻線リード線１ａの組込み状態を維持できるため、組立作業性を改善することができる。
【００２４】
本発明は、上記実施の形態に限定されるものではなく、その発明の範囲内において、各実施の形態を自由に組み合わせたり、各実施の形態を適宜、変形、省略することが可能である。
【符号の説明】
【００２５】
１  零相変流器、２  端子部、２ａ  端子、２ｂ  保持部、２ｃ  固定用穴、２ｄ  連結部、２ｅ  端子部ケース、３  漏電検出ユニット、４  ケース、４ａ  接続部、４ｂ  受け部、４ｃ  貫通穴、５  電子回路基板、５ａ  はんだ接続部、６  外郭ケース、６  突起、２１  ベース、２２  カバー、２３ａ〜２３ｃ  主回路導体、１０１  漏電遮断器。
【図１】
2015053197.tif 000003
【図２】
2015053197.tif 000004
【図３】
2015053197.tif 000005
【図４】
2015053197.tif 000006
【図５】
2015053197.tif 000007
【図６】
2015053197.tif 000008
【図７】
2015053197.tif 000009
【図８】
2015053197.tif 000010